(57)【要約】【課題】  音声を複数のデバイスへ出力する場合に利便性のあるリモコンの制御技術を提供する。【解決手段】  外部の携帯電話とハンズフリー接続をしているリモートデバイスにおけるリモコン制御方法であって、この携帯電話に着呼があった場合に外部ソース装置からのストリーミングを停止してハンズフリー通話に移行し、通話が終了した場合にこの終了の旨を前記外部ソース装置へ通知し、この通知後に外部ソース装置からのストリーミングに関連するコマンドを有効に働かせることを特徴とするリモコン制御方法。外部の複数のリモートデバイスへストリーミングを供給するソース装置であって、外部の携帯電話とハンズフリー接続をしている前記リモートデバイスのハンズフリー通話中にはこのリモートデバイスからのストリーミングに関連するコマンドに対して、その他のリモートデバイスのストリーミングに影響を及ぼすことを妨げるように働くことを特徴とするソース装置。【選択図】      図６
2010004485.tif 000002
【特許請求の範囲】
【請求項１】
外部の携帯電話とハンズフリー接続をしているリモートデバイスにおけるリモコン制御方法であって、
この携帯電話に着呼があった場合に外部ソース装置からのストリーミングを停止してハンズフリー通話に移行し、
通話が終了した場合にこの終了の旨を前記外部ソース装置へ通知し、
この通知後に外部ソース装置からのストリーミングに関連するコマンドを有効に働かせることを特徴とするリモコン制御方法。
【請求項２】
外部の複数のリモートデバイスへストリーミングを供給するソース装置であって、
外部の携帯電話とハンズフリー接続をしている前記リモートデバイスのハンズフリー通話中にはこのリモートデバイスからのストリーミングに関連するコマンドに対して、その他のリモートデバイスのストリーミングに影響を及ぼすことを妨げるように働くことを特徴とするソース装置。
【請求項３】
請求項１に記載のリモコン制御方法を用いる前記リモートデバイスと、このリモコン制御方法により制御される請求項２に記載のソース装置とを含むリモコン制御システム。
【請求項４】
前記リモコン制御方法は、Bluetoothのマルチデバイス接続において、プロファイルの接続情報を基に各リモートデバイスに対するA2DP/AVRCP制御を行う方法であることを特徴とする請求項３に記載のリモコン制御システム。
【発明の詳細な説明】
【技術分野】
【０００１】
本発明は、A2DP/AVRCPデバイスとのマルチ接続におけるリモコン制御方法に関する。
【背景技術】
【０００２】
従来からの方法として、Ｂｌｕｅｔｏｏｔｈ（Ｒ）のマルチデバイス接続では、１台のＰＣから複数台のリモートデバイス（ヘッドフォンやヘッドセット等）へ音声データをストリーミングすることが可能である。例えば概要として、ＴＶにＢｌｕｅｔｏｏｔｈ（Ｒ）で複数のワイヤレスヘッドフォン（Ａ２ＤＰ／ＡＶＲＣＰ）を接続し、ワイヤレスヘッドフォンの操作により出力する音声チャネル（主音声、副音声）の切替を行なうことがなされてきた。
【０００３】
しかしながら、音源となるＰＣとそれに接続している２台のデバイスのうち、リモートデバイスＡがハンズフリー通話機能もサポートしている場合、携帯電話等に着信があるとリモートデバイスＡはハンズフリー通話に移行する。このとき、ＰＣ側へＡ２ＤＰストリーミングを停止させるコマンドが発行され、通話とは関係の無いリモートデバイスＢへのストリーミングも停止させてしまっていた。
【０００４】
関連して特許文献１に記載されている内容は、複数のヘッドホンに対して、それぞれ異なる音声を同時送信することを特徴とする、といったものであるが、これは１台のテレビ受像機から複数のデバイスへ数種類の副音声を出力することを特徴としていて、１種類の音声を複数のデバイスへ出力する場合のリモコンの制御方法についての技術は開示されていない。
【特許文献１】特開２００６−３３９８５６号公報
【発明の開示】
【発明が解決しようとする課題】
【０００５】
本発明は、音声を複数のデバイスへ出力する場合に利便性のあるリモコンの制御技術を提供することを目的とする。
【課題を解決するための手段】
【０００６】
上記課題を解決するために、本発明のリモコン制御方法は、外部の携帯電話とハンズフリー接続をしているリモートデバイスにおけるリモコン制御方法であって、この携帯電話に着呼があった場合に外部ソース装置からのストリーミングを停止してハンズフリー通話に移行し、通話が終了した場合にこの終了の旨を前記外部ソース装置へ通知し、この通知後に外部ソース装置からのストリーミングに関連するコマンドを有効に働かせることを特徴とする。
【０００７】
また本発明のソース装置は、外部の複数のリモートデバイスへストリーミングを供給するソース装置であって、外部の携帯電話とハンズフリー接続をしている前記リモートデバイスのハンズフリー通話中にはこのリモートデバイスからのストリーミングに関連するコマンドに対して、その他のリモートデバイスのストリーミングに影響を及ぼすことを妨げるように働くことを特徴とする。
【発明の効果】
【０００８】
本発明によれば、音声を複数のデバイスへ出力する場合に利便性のあるリモコンの制御技術が得られる。
【発明を実施するための最良の形態】
【０００９】
以下、本発明の実施形態を説明する。
【実施例１】
【００１０】
本発明による実施形態１を図１乃至図８を参照して説明する。
図１は、本発明の一実施の形態であるヘッドセット１を用いた無線通信システムを示す構成図である。図１に示す構成図では、ヘッドセット１は、パーソナルコンピュータ２が接続先となっている。
【００１１】
ヘッドセット１は、例えばBluetooth（Ｒ）規格に準拠した無線通信を実行し、このBluetooth（Ｒ）規格に準拠した無線通信機能を有する電子機器との間でデータ通信等を行うことができる。パーソナルコンピュータ２にBluetooth（Ｒ）で無線通信を行う通信部を備え、ヘッドセット１とパーソナルコンピュータ２との間で無線接続を行ない、データの送受信を実行する。
【００１２】
また、ヘッドセット１は、Advanced Audio Distribution Profile（Ａ２ＤＰ）のＳｉｎｋ機能並びにAudio Video Remote Control Profile（ＡＶＲＣＰ）のＣＴ機能とを備えている。
【００１３】
Ａ２ＤＰのＳｉｎｋ機能は、音楽等のオーディオデータのストリーミング再生における転送先デバイスとしての機能であり、無線信号によって送られてくるオーディオデータのストリームを受信しながら再生するために用いられる。また、ＡＶＲＣＰのＣＴ機能は、リモート制御における制御側デバイスとしての機能であり、無線信号によって被制御側デバイスに対してリモート制御信号を送信するために用いられる。
【００１４】
一方、パーソナルコンピュータ２は、Ａ２ＤＰのＳｏｕｒｃｅ機能及びＡＶＲＣＰのＴＧ機能とを備えている。Ａ２ＤＰのＳｏｕｒｃｅ機能は、ストリーミング再生における転送元デバイスの機能であり、オーディオデータのストリームを無線信号によって送信するために用いられる。例えば、パーソナルコンピュータ２は、音楽再生機能を持つアプリケーションプログラムがインストールされており、ヘッドセット１との間に確立されたＡ２ＤＰのための無線接続（リンク）を通じて音楽データのストリーミング送信を実行する。
【００１５】
ＡＶＲＣＰのＴＧ機能は、リモート制御における被制御側デバイスとしての機能であり、無線信号によって制御側デバイスから送られてくるリモート制御信号に基づいて、例えばストリーミング再生の開始および停止を行う。
【００１６】
上記のような機能を有するヘッドセット１とパーソナルコンピュータ２との間の無線通信を具体的に説明すると、各々の機器に搭載されたアンテナ１０７、１０８を介して無線接続を行い、データの送受信を行う。
【００１７】
ここでは、Bluetooth（Ｒ）のＡＶプロファイルに従って、Ａ２ＤＰのＳｏｕｒｃｅ機能を有するパーソナルコンピュータ２からトランスポートチャネルを用いて、ストリーミングにより送信される音声データをＡ２ＤＰのＳｉｎｋ機能を有するヘッドセット１にて受信することで、ヘッドセット１にて音楽鑑賞が可能となる。
【００１８】
また、ＡＶＲＣＰのＣＴ機能を有するヘッドセット１からはリモート制御信号が送信され、このリモート制御信号をＡＶＲＣＰのＴＧ機能を有するパーソナルコンピュータ２にて受信することにより、ヘッドセット１からの遠隔操作によって、パーソナルコンピュータ２にて動作中の音楽再生アプリケーションに対して、再生開始、停止、一時停止、早送り、巻き戻しといった操作を可能とする。
【００１９】
次に、図２を用いて、本発明の一実施形態であるヘッドセット１の構成につき説明する。
ヘッドセット１は、パーソナルコンピュータ２などと外部機器から無線信号によって送信されるオーディオデータを出力するものであり、スピーカユニット１０１、１０２、ヘッドバンド１０３並びにマイクロホン１０５とを備えている。
【００２０】
スピーカユニット１０１、１０２は、例えば、パーソナルコンピュータ２から送信されてくるオーディオデータを出力するためものであり、ヘッドバンド１０３の両端に設けられている。ヘッドセット１がユーザの頭部に装着された状態において、スピーカユニット１０１、１０２が各々右耳、左耳を覆うように取付けられる。
【００２１】
ヘッドバンド１０３は、このヘッドセット１を使用するユーザの頭部に装着する際に使用する。
また、マイクロホン１０５は、外部からの音声を入力するための無指向性の入力機器であり、スピーカユニット１０２から延在して設けられている。
さらに、ヘッドセット１には、ユーザにて音楽再生などの指示操作を入力するための操作スイッチ１０６、並びにヘッドバンド１０３に取付けられ、外部機器であるパーソナルコンピュータ２との無線通信を行うためのアンテナ１０７とが設けられている。操作スイッチ１０６は、パーソナルコンピュータ２の対話的入力画面をユーザが用いる構成とことによりスイッチ数を減らして簡易に形成してもよい。
【００２２】
次に、図３を用いて、ヘッドセット１のシステム構成について説明する。
図３に示す通り、このヘッドセット１は、スピーカユニット１０１、１０２、マイクロホン１０５、操作スイッチ１０６及びアンテナ１０７の他に、システム制御部１１１、メモリ１１２、無線通信デバイス１１３、制御入力部１１４およびオーディオ出力部１１５とを備えている。
【００２３】
システム制御部１１１はヘッドセット１の動作を制御するためのプロセッサであり、メモリ１１２に格納されたプログラムを実行することにより、無線通信デバイス１１３、制御入力部１１４およびオーディオ出力部１１５をそれぞれ制御する。また、システム制御部１１１には、前述した制御入力処理を実行する制御認識部１１６が設けられている。
【００２４】
メモリ１１２は、不揮発性のメモリデバイスから構成されており、ヘッドセット１の動作を制御するプログラムが格納されている。このプログラムには、Ａ２ＤＰのＳｉｎｋ機能をシステム制御部１１１に実行させるルーチン、ＡＶＲＣＰのＣＴ機能をシステム制御部１１１に実行させるルーチンなどが含まれている。
【００２５】
無線通信デバイス１１３は、パーソナルコンピュータ２との間の無線通信をBluetooth（Ｒ）の規格に準拠した手順で実行するデバイスであり、ベースバンド処理部およびＲＦ部とを備えている。この無線通信デバイス１１３は、パーソナルコンピュータ２から無線信号によって送信される音楽等のオーディオデータを受信したり、リモート制御信号を無線信号によってパーソナルコンピュータ２に送信するために用いられる。
【００２６】
制御入力部１１４は、操作スイッチ１０６を介して入力されるユーザの操作を制御信号に変換して、システム制御部１１１に送信する。また、オーディオ出力部１１５は、パーソナルコンピュータ２から送信される音楽等のオーディオデータのストリームを無線通信デバイス１１３およびシステム制御部１１１を介して受信し、この受信したストリームをスピーカユニット１０１，１０２から音として出力可能な電気信号に変換するデータ再生処理を実行する。このオーディオ出力部１１５の出力ゲインは、システム制御部１１１によって調整可能なものとなっている。
【００２７】
このような構成を有するヘッドセット１では、パーソナルコンピュータ２との間で無線接続が確立されると、システム制御部１１１の制御に基づき、無線通信デバイス１１３のＡ２ＤＰコネクションを通じて、パーソナルコンピュータ２からストリーミング送信される音楽データをアンテナ１０７を介して無線通信デバイス１１３で受信し、これをオーディオ出力部１１５よりスピーカユニット１０１、１０２に出力する。
【００２８】
また、ＡＶＲＣＰコネクションを通じて、操作スイッチ１０６、制御入力部１１４を介して入力されるユーザの操作指示がシステム制御部１１１の制御認識部１１６にて認識処理を実行し、この認識結果をリモート信号として、無線通信デバイス１１３およびアンテナ１０７を介してパーソナルコンピュータ２に送信する。
【００２９】
上記のように構成された本発明の一実施形態におけるヘッドセット１においては、ユーザがこのヘッドセット１を用いて音楽鑑賞等をしている間でも、外部からの呼びかけや、電話や玄関のインタホンなどが鳴った場合でも、その呼びかけの声、または電話やインタホンの音を容易に確認することが可能である。すなわち、本発明の一実施形態であるヘッドセット１は、特に携帯電話の着信を認識した際に、実行中である音楽再生処理をミュート（サスペンド）する機能を有している。
【００３０】
以下、図４乃至図８を参照しながら動作例を説明する。
（マルチデバイス接続において、１台のリモートデバイスがハンズフリー通話に移行した場合）
・１台のＰＣにA2DP/AVRCP機能を持つヘッドセットを２台接続し、それぞれリモートデバイスＡ、Ｂとする。そのうちリモートデバイスＡはハンズフリー通話にも対応している。オーディオ系の機能（A2DP/AVRCP）の他に電話系の機能（HFP/HSP）をもつことによって実現される。それぞれBluetooth（Ｒ）のハンズフリープロファイル (HFP：Hands Free Profile), ヘッドセットプロファイル（HSP：HeadSet Profile）である。
【００３１】
（１）  ２台のヘッドセットにはA2DPストリーミングによって、ＰＣから再生された音楽が流れており、リモートデバイスＡは、携帯電話へハンズフリー接続をしている（図４）。
【００３２】
（２）  携帯電話に着信があると、ハンズフリー接続中のリモートデバイスＡへのA2DPストリーミングを停止（SUSPEND等）する。このとき、もう１台のヘッドセットへのストリーミングは継続される（図５）。従来技術であればもう１台のヘッドセットへのストリーミングも停止される。
【００３３】
（３）  ストリーミングが停止している間は、リモートデバイスＡから発行されたリモコンコマンドを無視する。
（４）  携帯電話での通話が終了すると図７にあるようにAVDTPレベルによる通知により、A2DPストリーミングが再開され、リモートデバイスＡからのAVRCPリモコンコマンドが有効となる。
【００３４】
図６は実施形態のＰＣ側を中心とする処理フロー図である。
まずBluetooth（Ｒ）の無線接続を行う（ステップＳ６１）。次にA2DPストリーミングを開始する（ステップＳ６２）。続いてリモートデバイス側がリモコンコマンドを発行する（ステップＳ６３）。次にA2DPストリーミング状態を判定し（ステップＳ６４）、A2DPストリーミングが有効と判定された場合にはコマンドを受付ける（ステップＳ６５）。またステップＳ６４でA2DPストリーミングが停止状態と判定された場合にはコマンドを無視する（ステップＳ６６）。
【００３５】
図７は実施形態のＰＣ側を中心とする処理シーケンスである。
A2DPストリーミングを行っている状態で着信があったとする。続いてリモートデバイス側がリモコンコマンドを発行する（AVRCP_PAUSE, A2DP_SUSPEND）。以下はA2DPストリーミング状態を判定し、A2DPストリーミングが停止状態と判定される場合であるのでコマンドを無視する（AVRCP_PLAY等）。この状態が解除されるのは、通話終了時にAVデータの転送プロトコルAVDTPに因ってである。
【００３６】
参考に図８を用いて一般的にA2DP/AVRCP制御の階層構成を説明する。
A2Dのプロファイルは、AVデータの転送用プロファイルGAVDP(Generic AV Distribution Profile)を利用する。このGAVDPでは、AVデータの転送プロトコルであるAVDTP(AV Distribution Transport Protocol)を使ってオーディオやビデオデータを転送するようになっている。このA2DPでは、音を送る側をソース、受ける側(ヘッドフォン側)をシンクと呼ぶ。A2DPやGAVDPなどをまとめてBluetooth A/V Profileなどと総称することがある。図８にあるようにA2DPは、AVデータの汎用転送プロファイルGAVDPの上にあるが、このGAVDPでは、AVデータの転送プロトコルAVDTPが定義されている。
【００３７】
（本実施形態による効果）
マルチデバイス接続時にはＰＣ側で各デバイスのＡ２ＤＰストリーミング状態を判断し、ストリーミング停止状態のデバイスから発行されたＡＶＲＣＰコマンドに対しては、これを無視し、ストリーミングが継続しているデバイスに影響が及ばないようにすることが可能となる。
【００３８】
ＰＣから複数台のヘッドフォン／ヘッドセットに音声データをストリーミングした際、デバイスからのリモコン操作が他のデバイスに影響しないようにする。
（例えば複数人で音楽視聴中、電話が着信し、一人のヘッドセットがハンズフリーモードに切り替わっても他の人は音楽を継続して視聴できる）
纏めると次のようになる。
１．      Ａ２ＤＰ／ＡＶＲＣＰデバイスとのマルチ接続時に１台のデバイスがハンズフリー通話等に移行しても、他のデバイスへのＡ２ＤＰストリーミングが停止することは無くなる。
【００３９】
２．      ストリーミングが停止しているデバイスから発行されたリモコンコマンドが、他のデバイスへ影響を及ぼすことが無くなり、より快適にＡＶデバイスを利用できるようになる。
【００４０】
なお、この発明は上記実施形態に限定されるものではなく、この外その要旨を逸脱しない範囲で種々変形して実施することができる。Bluetooth（Ｒ）の代わりにＵＷＢや赤外線等を用いて構成してもよい。
【００４１】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４２】
【図１】本発明の実施の形態に係わるヘッドセットを用いた無線通信システムの構成図。
【図２】図１に示される本発明の実施の形態のヘッドセットの構成を示す図。
【図３】図１に示されるヘッドセットの回路構成を示すブロック図。
【図４】同実施形態の２台のヘッドセットに音楽が流れている例を示す図。
【図５】同実施形態の１台のヘッドセット側に音楽が流れている例を示す図。
【図６】同実施形態のＰＣ側を中心とする処理フロー図。
【図７】同実施形態のＰＣ側を中心とする処理シーケンス。
【図８】A2DP/AVRCP制御の階層構成図。
【符号の説明】
【００４３】
１  …  ヘッドセット
２  …  パーソナルコンピュータ
１０１、１０２  …  スピーカユニット
１０３  …  ヘッドバンド
１０５  …  マイクロホン
１０６  …  操作スイッチ
１０７  …  アンテナ
１１１  …  システム制御部
１１２  …  メモリ
１１３  …  無線通信デバイス
１１４  …  制御入力部
１１５  …  オーディオ出力部
１１６  …  制御認識部
【図１】
2010004485.tif 000003
【図２】
2010004485.tif 000004
【図３】
2010004485.tif 000005
【図４】
2010004485.tif 000006
【図５】
2010004485.tif 000007
【図６】
2010004485.tif 000008
【図７】
2010004485.tif 000009
【図８】
2010004485.tif 000010